(57)【要約】      （修正有）【課題】アンケート対象者を的確に絞り込んでアンケートを実施できるようにする。【解決手段】受付け通知送信手段を備えるカードユニット３と、遊技場別会員属性情報記憶手段、アンケート情報入力手段、アンケート対象者を抽出するアンケート対象会員抽出手段、アンケート要求情報をアンケート対象者の店舗に送信するアンケート要求情報送信手段とを備える管理サーバ１４０と、アンケート対象者設定手段、アンケート対象者判定手段、アンケート送信手段とを備える会員管理コンピュータ１２０と、から成り、カードユニット３は、アンケート内容を表示、回答を受付け、アンケート回答情報を送信し、会員管理コンピュータ１２０は、送信されたアンケート回答情報を管理サーバ１４０に送信し、管理サーバ１４０は、受信したアンケート回答情報を集計し、結果を出力する。【選択図】図１０
2005165372.tif 000002
【特許請求の範囲】
【請求項１】
店舗内に設けられ、会員を個々に識別可能な会員識別情報が記録された会員用記録媒体を受付け、該受付けた会員用記録媒体から読み出した会員識別情報を含む会員用記録媒体受付け通知を送信する受付け通知送信手段を備える端末装置と、
各店舗を個々に特定可能な店舗特定情報と、当該店舗の各会員の前記会員識別情報とに対応付けて、当該会員の属性情報を記憶するための店舗別会員属性情報記憶手段と、アンケート調査の実施対象とする会員の属性情報に関する対象条件とアンケート内容とを含むアンケート情報を入力するためのアンケート情報入力手段と、該アンケート情報入力手段にて入力されたアンケート情報に含まれる対象条件を満たすアンケート対象者となる会員を、前記店舗別会員属性情報記憶手段に記憶している各店舗における会員の属性情報に基づいて抽出するアンケート対象会員抽出手段と、該アンケート対象会員抽出手段にて抽出したアンケート対象者となる会員の会員識別情報と、前記アンケート情報入力手段から入力されたアンケート情報に含まれるアンケート内容とを含むアンケート要求情報を、該アンケート対象者となる会員の会員識別情報に対応付けて前記店舗別会員属性情報記憶手段に記憶されている店舗特定情報から特定される店舗に送信するアンケート要求情報送信手段と、を備える集中管理装置と、
各店舗において前記端末装置並びに前記集中管理装置と通信可能に接続されて設けられ、前記アンケート要求情報送信手段から送信されるアンケート要求情報に含まれる会員識別情報から識別される会員をアンケート対象者として設定するアンケート対象者設定手段と、前記受付け通知送信手段から送信される会員用記録媒体受付け通知の受信に基づいて、当該会員用記録媒体受付け通知に含まれる会員識別情報から識別される会員がアンケート対象者設定手段にてアンケート対象者として設定されている会員であるか否かを判定するアンケート対象者判定手段と、該アンケート対象者判定手段にてアンケート対象者として設定されている会員であると判定されたことを条件として、前記アンケート要求情報に含まれるアンケート内容を前記会員用記録媒体受付け通知の送信元の端末装置に送信するアンケート送信手段と、を備える管理装置と、
から成り、
前記端末装置は、前記アンケート送信手段から送信されるアンケート内容を表示するための表示手段と、該表示手段に表示されたアンケート内容に対する回答を受付ける回答受付け手段と、該回答受付け手段にて受付けた回答を特定可能なアンケート回答情報を前記管理装置に送信するアンケート回答情報送信手段と、を備え、
前記管理装置は、前記アンケート回答情報送信手段から送信されるアンケート回答情報を前記集中管理装置に送信し、
前記集中管理装置は、前記管理装置から受信したアンケート回答情報を集計し、該集計結果を出力することを特徴とするアンケート結果集計システム。
【請求項２】
店舗内に設けられ、会員を個々に識別可能な会員識別情報が記録された会員用記録媒体を受付け、該受付けた会員用記録媒体から読み出した会員識別情報を含む会員用記録媒体受付け通知を送信する受付け通知送信手段を備える端末装置と、
アンケート調査の実施対象とする会員の属性情報に関する対象条件とアンケート内容とを含むアンケート情報を入力するためのアンケート情報入力手段と、該アンケート情報入力手段に入力されたアンケート情報を各店舗に配信するアンケート情報配信手段と、を備える集中管理装置と、
各店舗において前記端末装置並びに前記集中管理装置と通信可能に接続されて設けられ、前記会員識別情報に対応付けて当該会員の属性情報を記憶するための会員属性情報記憶手段と、前記アンケート情報配信手段から配信されるアンケート情報に含まれる対象条件を満たすアンケート対象者となる会員を、前記会員属性情報記憶手段に記憶している各会員の属性情報に基づいて抽出するアンケート対象会員抽出手段と、該アンケート対象会員抽出手段にて抽出された会員をアンケート対象者として設定するアンケート対象者設定手段と、前記受付け通知送信手段から送信される会員用記録媒体受付け通知の受信に基づいて、当該会員用記録媒体受付け通知に含まれる会員識別情報から識別される会員がアンケート対象者設定手段にてアンケート対象者として設定されている会員であるか否かを判定するアンケート対象者判定手段と、該アンケート対象者判定手段にてアンケート対象者として設定されている会員であると判定されたことを条件として、前記アンケート情報に含まれるアンケート内容を前記会員用記録媒体受付け通知の送信元の端末装置に送信するアンケート送信手段と、を備える管理装置と、
から成り、
前記端末装置は、前記アンケート送信手段から送信されるアンケート内容を表示するための表示手段と、該表示手段に表示されたアンケート内容に対する回答を受付ける回答受付け手段と、該回答受付け手段にて受付けた回答を特定可能なアンケート回答情報を前記管理装置に送信するアンケート回答情報送信手段と、を備え、
前記管理装置は、前記アンケート回答情報送信手段から送信されるアンケート回答情報を前記集中管理装置に送信し、
前記集中管理装置は、前記管理装置から受信したアンケート回答情報を集計し、該集計結果を出力することを特徴とするアンケート結果集計システム。
【請求項３】
前記端末装置の表示手段にアンケート内容が表示される表示時期を設定変更するためのアンケート内容表示時期設定変更手段を備え、
前記端末装置は、該アンケート内容表示時期設定変更手段にて設定された表示時期において前記表示手段にアンケート内容を表示することを特徴とする請求項１または２に記載のアンケート結果集計システム。
【請求項４】
前記回答受付け手段にて回答を受付けた会員に対して特典を付与する特典付与手段を備えることを特徴とする請求項１〜３のいずれかに記載のアンケート結果集計システム。
【請求項５】
前記端末装置の表示手段にアンケート内容が表示される優先順位を設定するための優先順位設定手段を備えることを特徴とする請求項１〜４のいずれかに記載のアンケート結果集計システム。
【請求項６】
前記集中管理装置は、通信回線網を介してアンケート依頼者が操作可能な情報端末に通信可能に接続され、
前記アンケート情報入力手段には、前記情報端末から前記アンケート情報とともにアンケートの集計結果を通知する時期を示す情報が前記通信回線網を介して入力され、
前記集中管理装置は、前記集計した集計結果を、前記アンケート情報入力手段に入力されたアンケートの集計結果を通知する時期において前記情報端末に配信することで出力することを特徴とする請求項１〜５のいずれかに記載のアンケート結果集計システム。
【請求項７】
前記端末装置は、前記店舗としての遊技場内に複数設置される遊技機のそれぞれに対応して設けられた遊技用装置であって、
前記受付け通知送信手段は、当該遊技用装置を個々に識別可能な装置識別情報を含む前記会員用記録媒体受付け通知を送信し、
前記アンケート送信手段は、前記アンケート要求情報に含まれるアンケート内容を前記会員用記録媒体受付け通知に含まれる装置識別情報から特定される遊技用装置に送信することを特徴とする請求項１〜６のいずれかに記載のアンケート結果集計システム。
【発明の詳細な説明】
【技術分野】
【０００１】
本発明は、遊技場等の店舗において会員登録した各会員を対象としたアンケートを、店舗内に設けられている端末装置にて表示して回答を受付け、該回答を集計してアンケート結果を得るためのアンケート結果集計システムに関する。
【背景技術】
【０００２】
従来において、遊技者（遊戯者）等にアンケートを配信して回答を受付けてアンケート結果を得るためのシステムとしては、例えば、ゲーム場に設置されているゲーム機にメインデータシステムからアンケートを配信し、該ゲーム機においてアンケートの回答を受付け、該受付けた回答をメインデータシステムに送信し、該メインデータシステムにて集計するシステムがある。（例えば、特許文献１参照）。
【０００３】
【特許文献１】特開平１４−２１５８６８号公報（第４頁、第１図）
【発明の開示】
【発明が解決しようとする課題】
【０００４】
しかしながら、前記した特許文献１において示されるシステムにあっては、ゲーム場に設置されて、誰でもがゲーム（遊戯）を実施できるゲーム機において、当該ゲームを実施する遊戯者（プレーヤー）を対象にアンケートを実施することから、アンケートを受付ける対象者を、アンケートを実施したい遊戯者（プレーヤー）、例えば女性のみや、特定の年齢層等に絞り込んで実施することが不可能であるという問題があった。
【０００５】
本発明は、このような問題点に着目してなされたもので、アンケートを実施する対象者を的確に絞り込んでアンケートを実施できるアンケート結果集計システムを提供することを目的とする。
【課題を解決するための手段】
【０００６】
上記課題を解決するために、本発明の請求項１に記載のアンケート結果集計システムは、
店舗内に設けられ、会員を個々に識別可能な会員識別情報が記録された会員用記録媒体を受付け、該受付けた会員用記録媒体から読み出した会員識別情報を含む会員用記録媒体受付け通知を送信する受付け通知送信手段を備える端末装置と、
各店舗を個々に特定可能な店舗特定情報と、当該店舗の各会員の前記会員識別情報とに対応付けて、当該会員の属性情報を記憶するための店舗別会員属性情報記憶手段と、アンケート調査の実施対象とする会員の属性情報に関する対象条件とアンケート内容とを含むアンケート情報を入力するためのアンケート情報入力手段と、該アンケート情報入力手段にて入力されたアンケート情報に含まれる対象条件を満たすアンケート対象者となる会員を、前記店舗別会員属性情報記憶手段に記憶している各店舗における会員の属性情報に基づいて抽出するアンケート対象会員抽出手段と、該アンケート対象会員抽出手段にて抽出したアンケート対象者となる会員の会員識別情報と、前記アンケート情報入力手段から入力されたアンケート情報に含まれるアンケート内容とを含むアンケート要求情報を、該アンケート対象者となる会員の会員識別情報に対応付けて前記店舗別会員属性情報記憶手段に記憶されている店舗特定情報から特定される店舗に送信するアンケート要求情報送信手段と、を備える集中管理装置と、
各店舗において前記端末装置並びに前記集中管理装置と通信可能に接続されて設けられ、前記アンケート要求情報送信手段から送信されるアンケート要求情報に含まれる会員識別情報から識別される会員をアンケート対象者として設定するアンケート対象者設定手段と、前記受付け通知送信手段から送信される会員用記録媒体受付け通知の受信に基づいて、当該会員用記録媒体受付け通知に含まれる会員識別情報から識別される会員がアンケート対象者設定手段にてアンケート対象者として設定されている会員であるか否かを判定するアンケート対象者判定手段と、該アンケート対象者判定手段にてアンケート対象者として設定されている会員であると判定されたことを条件として、前記アンケート要求情報に含まれるアンケート内容を前記会員用記録媒体受付け通知の送信元の端末装置に送信するアンケート送信手段と、を備える管理装置と、
から成り、
前記端末装置は、前記アンケート送信手段から送信されるアンケート内容を表示するための表示手段と、該表示手段に表示されたアンケート内容に対する回答を受付ける回答受付け手段と、該回答受付け手段にて受付けた回答を特定可能なアンケート回答情報を前記管理装置に送信するアンケート回答情報送信手段と、を備え、
前記管理装置は、前記アンケート回答情報送信手段から送信されるアンケート回答情報を前記集中管理装置に送信し、
前記集中管理装置は、前記管理装置から受信したアンケート回答情報を集計し、該集計結果を出力することを特徴としている。
この特徴によれば、前記アンケート対象会員抽出手段により、アンケート対象者とする対象条件を満たす会員が、各会員の属性情報に基づいて抽出され、当該抽出されたアンケート対象者の会員用記録媒体を受付けた端末装置にアンケート内容が表示されてアンケートの受付けが実施されるようになるため、アンケートを実施する対象者を的確に絞り込んでアンケートを実施できる。
【０００７】
本発明の請求項２に記載のアンケート結果集計システムは、
店舗内に設けられ、会員を個々に識別可能な会員識別情報が記録された会員用記録媒体を受付け、該受付けた会員用記録媒体から読み出した会員識別情報を含む会員用記録媒体受付け通知を送信する受付け通知送信手段を備える端末装置と、
アンケート調査の実施対象とする会員の属性情報に関する対象条件とアンケート内容とを含むアンケート情報を入力するためのアンケート情報入力手段と、該アンケート情報入力手段に入力されたアンケート情報を各店舗に配信するアンケート情報配信手段と、を備える集中管理装置と、
各店舗において前記端末装置並びに前記集中管理装置と通信可能に接続されて設けられ、前記会員識別情報に対応付けて当該会員の属性情報を記憶するための会員属性情報記憶手段と、前記アンケート情報配信手段から配信されるアンケート情報に含まれる対象条件を満たすアンケート対象者となる会員を、前記会員属性情報記憶手段に記憶している各会員の属性情報に基づいて抽出するアンケート対象会員抽出手段と、該アンケート対象会員抽出手段にて抽出された会員をアンケート対象者として設定するアンケート対象者設定手段と、前記受付け通知送信手段から送信される会員用記録媒体受付け通知の受信に基づいて、当該会員用記録媒体受付け通知に含まれる会員識別情報から識別される会員がアンケート対象者設定手段にてアンケート対象者として設定されている会員であるか否かを判定するアンケート対象者判定手段と、該アンケート対象者判定手段にてアンケート対象者として設定されている会員であると判定されたことを条件として、前記アンケート情報に含まれるアンケート内容を前記会員用記録媒体受付け通知の送信元の端末装置に送信するアンケート送信手段と、を備える管理装置と、
から成り、
前記端末装置は、前記アンケート送信手段から送信されるアンケート内容を表示するための表示手段と、該表示手段に表示されたアンケート内容に対する回答を受付ける回答受付け手段と、該回答受付け手段にて受付けた回答を特定可能なアンケート回答情報を前記管理装置に送信するアンケート回答情報送信手段と、を備え、
前記管理装置は、前記アンケート回答情報送信手段から送信されるアンケート回答情報を前記集中管理装置に送信し、
前記集中管理装置は、前記管理装置から受信したアンケート回答情報を集計し、該集計結果を出力することを特徴としている。
この特徴によれば、前記アンケート対象会員抽出手段により、アンケート対象者とする対象条件を満たす会員が、各会員の属性情報に基づいて抽出され、当該抽出されたアンケート対象者の会員用記録媒体を受付けた端末装置にアンケート内容が表示されてアンケートの受付けが実施されるようになるため、アンケートを実施する対象者を的確に絞り込んでアンケートを実施できる。
【０００８】
本発明の請求項３に記載のアンケート結果集計システムは、請求項１または２に記載のアンケート結果集計システムであって、
前記端末装置の表示手段にアンケート内容が表示される表示時期を設定変更するためのアンケート内容表示時期設定変更手段を備え、
前記端末装置は、該アンケート内容表示時期設定変更手段にて設定された表示時期において前記表示手段にアンケート内容を表示することを特徴としている。
この特徴によれば、アンケートの回答に好適なタイミング、例えば、店舗が遊技場であれば、大当り発生時等の会員遊技者の気分が良いときに、商店等に設置され商品やサービスの購入を行う端末であれば、購入を決定する操作の前にアンケート内容を表示して回答を受付けることで、アンケートに対する回答率を向上できる。
【０００９】
本発明の請求項４に記載のアンケート結果集計システムは、請求項１〜３のいずれかに記載のアンケート結果集計システムであって、
前記回答受付け手段にて回答を受付けた会員に対して特典を付与する特典付与手段を備えることを特徴としている。
この特徴によれば、アンケートを実施することで特典が得られることから、特典を付与しない場合に比較して、アンケートに対する回答率を向上できる。
【００１０】
本発明の請求項５に記載のアンケート結果集計システムは、請求項１〜４のいずれかに記載のアンケート結果集計システムであって、
前記端末装置の表示手段にアンケート内容が表示される優先順位を設定するための優先順位設定手段を備えることを特徴としている。
この特徴によれば、優先度の高いアンケート内容が優先的に表示されることで、所望のアンケートを他のアンケートよりも優先して表示させることが可能となるばかりか、これら同一の会員をアンケート対象とする複数のアンケートが存在する場合において、的確にアンケートが表示されるようになる。
【００１１】
本発明の請求項６に記載のアンケート結果集計システムは、請求項１〜５のいずれかに記載のアンケート結果集計システムであって、
前記集中管理装置は、通信回線網を介してアンケート依頼者が操作可能な情報端末に通信可能に接続され、
前記アンケート情報入力手段には、前記情報端末から前記アンケート情報とともにアンケートの集計結果を通知する時期を示す情報が前記通信回線網を介して入力され、
前記集中管理装置は、前記集計した集計結果を、前記アンケート情報入力手段に入力されたアンケートの集計結果を通知する時期において前記情報端末に配信することで出力することを特徴としている。
この特徴によれば、アンケート依頼者が要望する時期（タイミング）にて、集計結果がアンケート依頼者に通知されることで、アンケート依頼者の利便性を向上できる。
【００１２】
本発明の請求項７に記載のアンケート結果集計システムは、請求項１〜６のいずれかに記載のアンケート結果集計システムであって、
前記端末装置は、前記店舗としての遊技場内に複数設置される遊技機のそれぞれに対応して設けられた遊技用装置であって、
前記受付け通知送信手段は、当該遊技用装置を個々に識別可能な装置識別情報を含む前記会員用記録媒体受付け通知を送信し、
前記アンケート送信手段は、前記アンケート要求情報に含まれるアンケート内容を前記会員用記録媒体受付け通知に含まれる装置識別情報から特定される遊技用装置に送信することを特徴としている。
この特徴によれば、遊技場の会員を対象としてアンケートを実施でき、しかも端末装置が遊技機に対応して設けられていることから、会員が遊技を行いながらアンケートに回答できるため、遊技機から離れた位置に端末装置を設置する場合に比べ、アンケートへの回答率を向上できるとともに、遊技機とは別の遊技機に対応して設けられている遊技用装置の表示手段にアンケート内容が表示されるようになるため、遊技内容に依存することなく、アンケート依頼者の要望に沿った多彩なアンケートを実施することもできる。
【発明を実施するための最良の形態】
【００１３】
本発明の実施例を以下に説明する。尚、以下の実施例では、店舗として複数の遊技機が設置された遊技場を適用した場合を例にとり説明する。
【実施例１】
【００１４】
本実施例は、請求項１に対応するものであり、図１は、本実施例のアンケート結果集計システムの構成を示しており、このアンケート結果集計システムは、通信回線網としてのインターネット網に接続されたアンケート依頼者（企業）ａ、ｂ・・・の情報端末であるパソコン１５等に接続され、アンケート受付け会社（例えば、各遊技場における後述する会員カードやビジターカードによる玉貸売上を管理するカード会社とされる）に設置された集中管理装置を構成するサイトサーバ１４と、該サイトサーバ１４に接続され、店舗である各遊技場に設置された会員管理コンピュータ１２０に通信回線１１を介して接続された集中管理装置を構成する管理サーバ１４０と、遊技場において会員登録をした会員遊技者の属性情報を含む当該会員遊技者に関する情報の管理等を行う本発明の管理装置としての会員管理コンピュータ１２０と、該会員管理コンピュータ１２０に接続され、遊技場において複数配置された遊技島に並設される遊技機としてのカードリーダ式パチンコ機（以下パチンコ機）２に対して１対１に設置される端末装置である遊技用装置としてのカードユニット３と、から主に構成されている。
【００１５】
またアンケート受付け会社に設置されたサイトサーバ１４と管理サーバ１４０とは、ＬＡＮケーブルにより接続され双方に高速のデータ送受信を可能に構成されているとともに、管理サーバ１４０と各遊技場に設置された会員管理コンピュータ１２０とは、通信回線１１を介して双方にデータ送受可能とされており、会員管理コンピュータ１２０にて管理されている会員遊技者の属性情報が管理サーバ１４０に送信されて、各遊技場毎に管理されるとともに、後述するように、管理サーバ１４０からのアンケート要求情報が会員管理コンピュータ１２０に送信されてアンケートが実施されるようになっている。
【００１６】
まず、本実施例に用いた会員用記録媒体である会員カードについて説明すると、該会員カードは、略長方形のカード型に形成された非接触ＩＣカードとされており、該会員カードに搭載されている集積回路の内部メモリには、各会員カードを個別に識別可能な会員カードＩＤや、前記会員管理コンピュータ１２０における会員遊技者の属性情報の管理等に使用され、各会員を識別可能とされた会員識別情報である会員ＩＤや、当該会員カードが発行された発行遊技場を個々に特定可能な遊技場特定情報（店舗特定情報）である遊技場ＩＤ等の情報が書き換え不可に記録されているとともに、パチンコ機２における遊技に使用可能な遊技用価値の大きさを特定可能な情報である遊技用価値情報としての度数等の情報が書き換え可能に記録されている。
【００１７】
また、本実施例に用いたカードユニット３に装着されるビジターカードも、各辺の長さが前記会員カードの各辺の長さより若干短い略長方形の非接触ＩＣカードとされており、該ビジターカードに搭載されている集積回路の内部メモリには、各ビジターカードを個別に識別可能なシリアル番号やカードＩＤ並びに当該ビジターカードが使用される使用店等が書き換え不可に記録されているとともに、会員カードの未挿入時にカードユニット３に投入される金額に該当する大きさの遊技用価値情報である度数や、装備されているカードユニット３の装置ＩＤ、並びに書き換え回数情報等の情報等が書き換え可能に記録される。
【００１８】
次いで、本実施例の端末装置である遊技用装置としてのカードユニット３について説明すると、カードユニット３は、対応するパチンコ機２と直接、及び中継端末４を介して接続されており、カードユニット３と対応するパチンコ機２との間で遊技媒体であるパチンコ球の払出（貸与）に伴なう各種信号の送受が可能とされているとともに、対応するパチンコ機２等から出力された各種遊技情報を示す信号が中継端末４を介して対応するカードユニット３に入力されるようになっている。（図３参照）
【００１９】
また、各カードユニット３は、図示しないシステムコントローラ並びに会員管理コンピュータ１２０とハブ（ＨＵＢ）８’（図３参照）並びに通信ケーブル８を介して双方向のデータ通信可能に接続されていて、各接続機器にはそれぞれローカルＩＰアドレスが付与されてローカルエリアネットワーク（ＬＡＮ）が形成されている。
【００２０】
この本実施例のカードユニット３の前面には、図２に示すように、各種表示部と紙幣挿入口３０２、硬貨投入口３０３、硬貨返却ボタン３０４、突出部３０５、硬貨返却口３０８、会員カード挿入口３０９、ビジターカード装着口３１０が設けられている。
【００２１】
カードユニット３の前面に設けられた会員カード挿入口３０９とビジターカード装着口３１０とは、遊技者から見て左右方向に並設配置されている。会員カード挿入口３０９は、内蔵されるカードリーダライタ３２７（図３参照）の会員カードスロット（図示略）に連設されており、この会員カード挿入口３０９を介して会員カードを会員カードスロットに挿入可能とされている。また、ビジターカード装着口３１０は、カードリーダライタ３２７のビジターカード収容室（図示略）に連設されており、このビジターカード装着口３１０を介してビジターカードをビジターカード収容室に装着可能とされている。
【００２２】
カードユニット３の前面には、前方に突出する態様にて突出部３０５が設けられている。該突出部３０５において、遊技者側に向けられた面には、本発明の表示手段となる表示部３１２と、メインメニュー画面を表示させるためのメニュースイッチ３１６と、データ画面（図示略）を表示させるためのデータスイッチ３１８と、遊技者が後述する貯蓄玉数を用いた再プレイ遊技を実施するための再プレイスイッチ３１９と、再プレイスイッチ３１９の操作が有効であることを報知するための再プレイ表示部３２０とが設けられており、該表示部３１２の表面には、表示部３１２に表示された表示項目を指触により入力可能とするための本発明の回答受付け手段を構成するタッチパネル３１４が設けられている。
【００２３】
図３は、カードユニット３の構成を示すブロック図である。カードユニット３は、カードリーダライタ３２７と、表示制御基板３２９と、制御ユニット３２８と、から主に構成されており、カードリーダライタ３２７及び表示制御基板３２９は、制御ユニット３２８と接続され、各種データの送受が可能とされている。
【００２４】
カードリーダライタ３２７は、会員カードやビジターカードに記録されている会員カードＩＤやカードＩＤ、会員ＩＤ、並びに度数等の記録情報の読み出し並びに書き込みを行うとともに、ＨＵＢ８’を介して図示しないシステムコントローラとデータ通信可能に接続されており、挿入された会員カードに記録された会員カードＩＤによる認証や度数の確認等をシステムコントローラとの間で行う。
【００２５】
表示制御基板３２９には、前述した液晶表示器３１３、タッチパネル３１４、各種スイッチ類（メニュースイッチ３１６ａ、データスイッチ３１８ａ、再プレイスイッチ３１９ａ）や前述した再プレイ表示部３２０内に設けられた再プレイＬＥＤ３２０ａ等の電子部品が接続されている。
【００２６】
表示制御基板３２９に接続されている電子部品のうちタッチパネル３１４、各種スイッチ類（メニュースイッチ３１６ａ、データスイッチ３１８ａ、再プレイスイッチ３１９ａ）は、表示制御基板３２９を介して制御ユニット３２８に接続されており、タッチパネル３１４による位置検出情報や各スイッチの検出信号が制御ユニット３２８に入力される。また、再プレイＬＥＤ３２０ａも、表示制御基板３２９を介して制御ユニット３２８に接続されており、その点灯制御が制御ユニット３２８により行われる。
【００２７】
また、表示制御基板３２９は、液晶表示器３１３の表示駆動を行う表示駆動回路や、前記タッチパネル３１４からの出力信号に基づいて押圧操作された位置を特定して該特定した入力位置情報を出力する入力位置検出回路や、表示駆動回路の表示処理や画像合成処理に使用されるＶＲＡＭや、各種スイッチが接続されてスイッチからの信号が入力されるＩ／Ｏポートを含み、制御ユニット３２８から出力された各種画面等の表示データを液晶表示器３１３に表示する制御を行う。
【００２８】
制御ユニット３２８には、表示制御基板３２９を介して接続されたスイッチや表示器等の電子部品に加えて、紙幣識別ユニット３２１、硬貨識別ユニット３２２が接続されている。
【００２９】
紙幣識別ユニット３２１は、紙幣挿入口３０２に投入された紙幣を取り込んでその真贋や紙幣種別の識別を行う。また、硬貨識別ユニット３２２は、硬貨投入口３０３より投入された硬貨の真贋並びに硬貨種別の識別を行う。
【００３０】
また、制御ユニット３２８には、特に図示しないが、接続されたパチンコ機２に設けられ、パチンコ玉の貸出に使用できる度数（遊技用価値）を表示する度数表示器や、パチンコ玉の貸出を行う際に操作される貸出ボタンの操作を検知する貸出スイッチ、受付け中の会員カードを返却させる際に操作される返却ボタンの操作を検知する返却スイッチが接続されている。
【００３１】
制御ユニット３２８は、各種スイッチの検出信号やタッチパネル３１４の位置検出情報、紙幣識別ユニット３２１や硬貨識別ユニット３２２による識別信号等を受けて、制御ユニット３２８に接続されているＬＥＤ、カードリーダライタ３２７、表示コントローラ３２９の制御等、全体の動作制御や後述する玉貸処理や払戻処理等の各種処理を実行する。
【００３２】
また、制御ユニット３２８は、対応するパチンコ機２と接続されており、各種信号の送受が実施可能とされているとともに、通信部３３４並びにＨＵＢ８’を介して会員管理コンピュータ１２０とデータ通信可能に接続されており、該会員管理コンピュータ１２０との間において各種データの送受が可能とされていて、新たな会員カードの受付けに基づいて、当該新たに受付けた会員カードから読み出した会員ＩＤを含む会員用記録媒体受付け通知である会員カード受付け通知を会員管理コンピュータ１２０に送信する受付け通知送信処理を実施するとともに、会員管理コンピュータ１２０から送信されてくる後述するアンケート実施情報の受信に基づいて、該アンケート実施情報に含まれるアンケート内容であるアンケートデータを、当該アンケート実施情報に含まれる表示タイミングデータから特定される表示タイミングにおいて前記表示部３１２に表示してアンケートの回答を受付ける回答受付け処理を実施し、該受付けた回答の回答データを含む回答情報を会員管理コンピュータ１２０に送信するアンケート回答情報送信処理を実施する。
【００３３】
この本実施例のカードユニット３において実施される各処理内容について説明すると、まず、カードユニット３は、会員カード挿入口３０９に挿入された会員カードに対してシステムコントローラ１００と連携して利用の可／不可を判別する受付処理を行う。
【００３４】
また、受付処理において受付けられた会員カードより読み出された度数が残存する場合であって、パチンコ機２に備えられる貸出ボタンの操作が検出された場合に、対応するパチンコ機２に対して貸出要求を出力し、パチンコ玉の貸出を実施させる貸出処理を行う。
【００３５】
また、会員カードが受付中でかつ残存する度数が０度の場合であって、紙幣（１０００円紙幣、２０００円紙幣、５０００円紙幣、１００００円紙幣）または硬貨（１００円硬貨、５００円硬貨）が挿入または投入されて識別された場合に、この識別された金額に相当する度数を、受付けられている会員カードより読み出された度数に加算する追加入金処理を行う。
【００３６】
また、会員カードが受付けられていない場合に低額紙幣（１０００円紙幣）または硬貨（１００円硬貨、５００円硬貨）が挿入または投入されて識別された場合に、この識別された金額に相当する度数をビジターカード装着口３１０に装着されているビジターカードに記録した後、この記録した度数の全てを使用して、対応するパチンコ機２に対して貸出要求を出力し、パチンコ玉の貸出を実施させる発行貸出処理を行う。
【００３７】
また、会員遊技者が以前の遊技にて貯蓄した貯蓄玉数を、会員管理コンピュータ１２０から入手し、この入手した貯蓄玉数を使用して、対応するパチンコ機２に対して払戻要求を出力し、所定数のパチンコ玉の払い戻しを実施させる払戻処理を行う。
【００３８】
また、カードユニット３と１対１に並設されたパチンコ機２が備える返却ボタンが遊技者により操作された場合に、受付け中の会員カードの返却を実施させる返却処理を行う。
【００３９】
次いで、本実施例に用いた本発明の管理装置である会員管理コンピュータ１２０の構成を、図４を用いて説明すると、本実施例の会員管理コンピュータ１２０は、図４に示すように、コンピュータ内部にてデータの送受を行うデータバス１２１に、該会員管理コンピュータ１２０が実施する会員遊技者の属性情報を含む会員遊技者に関する会員関連情報を受付けて、該会員遊技者の遊技場会員ＩＤに対応付けて登録（記憶）する登録処理や、管理サーバ１４０に後述する更新データを送信する更新データ送信処理や、後述する各種処理を行うＣＰＵ１２２、ワークメモリ等として使用されるＲＡＭ１２３、時刻情報やカレンダ情報を出力するＲＴＣ１３１、磁気ディスクや光磁気ディスクから成る記憶装置１２４、新規会員に関する会員関連情報等の各種情報を入力するためのキーボードやマウス等の入力装置１２５、カードユニット３においてアンケート内容を表示させるタイミングを設定するための後述するアンケート表示タイミング設定画面（図１１）等の各種画面を表示出力するための表示装置１２６や、印刷出力を実施するためのプリンタ１２７、遊技場内に各パチンコ機２に対応して設置されたカードユニット３や前記システムコントローラとのデータ通信を行う通信部１２８、前記管理サーバ１４０とのデータ通信を行うデジタルサービスユニット（ＤＳＵ）１３０が接続された通常のコンピュータである。
【００４０】
また、前記記憶装置１２４には、該会員管理コンピュータ１２０が処理を実施するための各種処理プログラムに加えて、図５に示す会員情報テーブル等の各種テーブルから成る会員管理データベース（ＤＢ）が記憶されている。
【００４１】
まず、会員管理データベースを構成する会員情報テーブルには、図５に一部略示すように、会員遊技者に発行された会員カードに記録されている会員ＩＤに対応付けて、本人確認のための暗証番号と、その時点の貯蓄玉数が記憶される貯蓄玉数、並びに当該会員カードを所持する会員遊技者の氏名（名字並びに名前）、性別、年齢、誕生日、職業、郵便番号、住所、電子メールアドレス、電話番号、携帯電話番号等の個人情報や、交通手段、趣味、記念日等から成る会員遊技者の属性情報が記憶されているとともに、当該会員遊技者に付与された来店ポイントと、当該会員遊技者がアンケート対象とされているアンケートのアンケートＩＤが記憶されており、該アンケートＩＤが記憶されるアンケートＩＤの項目には、１次、２次、３次…が設けられていて、同一の会員遊技者をアンケート対象とするアンケートが複数存在する場合に、アンケートの優先順位の高い順に１次、２次、３次…に順次記憶され、該優先順位の高い順に順次、アンケートＩＤから特定されるアンケートデータがカードユニット３に配信されてアンケートの受付けが実施されるようになっている。
【００４２】
また、本実施例の会員管理コンピュータ１２０の前記ＣＰＵ１２２は、管理サーバ１４０から受信したアンケート要求情報に基づいて、該アンケート要求情報に含まれる会員ＩＤに対応する前記会員情報テーブルのアンケートＩＤの項目に、当該アンケート要求情報に含まれるアンケートＩＤを記憶（登録）することで、当該会員ＩＤから識別される会員をアンケート対象者として設定するアンケート対象者設定処理を実施する。
【００４３】
尚、このアンケートＩＤの登録に際して、受信したアンケート要求情報に当該アンケートを優先する旨の優先情報が含まれている場合には、当該アンケートＩＤを１次に記憶し、既に１次または２次…に記憶されているアンケートＩＤは、順次下位順位に更新記憶される一方、受信したアンケート要求情報に優先情報が含まれていない場合には、、当該アンケートＩＤを最も下位の順位に記憶することで、優先設定が実施されるようになっている。
【００４４】
また、本実施例の会員管理コンピュータ１２０の前記ＣＰＵ１２２は、カードユニット３の制御ユニット３２８（通信部３３４）から、新規の会員カードの受付けに基づいて送信される会員カード受付け通知の受信に基づいて、当該会員カード受付け通知に含まれる会員ＩＤから識別される会員遊技者がアンケート対象者として設定されている会員遊技者であるか否かを、前記会員情報テーブルにおけるアンケートＩＤの項目にアンケートＩＤの記憶（登録）が存在するか否かに基づいて判定するアンケート対象者判定処理を実施する。
【００４５】
また、本実施例の会員管理コンピュータ１２０の前記ＣＰＵ１２２は、前記アンケート対象者判定処理にてアンケート対象者として設定されている会員遊技者であると判定されたことを条件として、前記アンケート要求情報に含まれるアンケート内容となる、前記会員情報テーブルにおけるアンケートＩＤの項目に記憶（登録）されているアンケートＩＤから特定されるアンケートデータを含むアンケート実施情報を前記会員カード受付け通知の送信元のカードユニット３に送信するアンケート送信処理を実施する。
【００４６】
また、本実施例の会員管理コンピュータ１２０の前記ＣＰＵ１２２は、カードユニット３の制御ユニット３２８が実施するアンケート回答情報送信処理において送信されるアンケート回答情報を、前記集中管理装置である管理サーバ１４０に送信する処理を実施する。
【００４７】
また、本実施例の会員管理コンピュータ１２０の前記ＣＰＵ１２２は、カードユニット３の制御ユニット３２８が実施するアンケート回答情報送信処理において送信されるアンケート回答情報に含まれる会員ＩＤから特定されるアンケートへの回答を実施した会員遊技者に対して、所定の大きさの来店ポイントを付与（当該遊技者の来店ポイントに加算更新）する特典付与処理を実施する。
【００４８】
また、本実施例の会員管理コンピュータ１２０の前記ＣＰＵ１２２は、管理サーバ１４０から受信したアンケート要求情報に後述する優先情報が含まれる場合において、当該アンケート要求情報に含まれるアンケートＩＤを、該アンケート要求情報に含まれる会員ＩＤに対応する会員情報テーブルのアンケートＩＤの項目における一次に登録（記憶）することで、当該アンケートＩＤのアンケートの優先順位を一位に設定する優先順位設定処理を実施する。
【００４９】
また、本実施例の会員管理コンピュータ１２０の表示装置１２６には、所定の操作を実施することで、図１１に示すアンケート表示タイミング設定画面が表示されるようになっており、該アンケート表示タイミング設定画面において、カードユニット３の表示部３１２にアンケート内容、具体的にはアンケートの回答許諾の受付け画面（図１２（ａ））が表示される時期（タイミング）を設定変更できるようになっている。
【００５０】
この本実施例のアンケート表示タイミング設定画面には、図１１に示すように、アンケート内容が表示されるタイミングとして、会員カード挿入時、会員カード挿入後○分、大当り発生時の項目が設けられており、これら各項目に対応する排他選択可能なチェックボックスをチェック（選択）することで、当該選択された時期を特定可能な表示タイミングデータが後述するアンケート実施情報に含まれてカードユニット３に送信されることで、当該選択されたタイミングにおいてカードユニット３の表示部３１２にアンケート内容が表示されるようになっている。具体的には、会員カード挿入時においてアンケート内容を表示させたい場合には、「会員カード挿入時」の項目に対応するチェックボックスをチェック（選択）すれば良く、会員カード挿入後の所定時間経過後、例えば５分後においてアンケート内容を表示させたい場合には、「会員カード挿入後」の項目に対応するチェックボックスをチェック（選択）するとともに、対応するポップアップメニューの中から、所望する経過時間である５分を選択すれば良く、また、大当り発生時においてアンケート内容を表示させたい場合には、「大当り発生時」の項目に対応するチェックボックスをチェック（選択）すれば良い。
【００５１】
また、本実施例のアンケート表示タイミング設定画面には、図１１に示すように、前記表示タイミングの各項目の下部位置に、「複数アンケートを実施しますか」の項目が設けられており、会員遊技者が同一のカードユニット３に対応するパチンコ機２にて遊技をしている間に、当該会員遊技者をアンケート対象とする複数のアンケートが存在する場合、つまりは、当該会員遊技者が複数のアンケートのアンケート対象に設定されている場合において、これら複数のアンケートをカードユニット３に送信して実施するか、或いは最も優先度の高い１次のアンケートのみを送信して実施するかを設定できるようになっており、これら「複数アンケートを実施しますか」の項目に対応する「する」のチェックボックスをチェック（選択）した場合には、例えば、図１１に示すように、表示タイミングの項目において「大当り発生時」の項目に対応するチェックボックスがチェック（選択）されている場合には、遊技を開始して初めて大当りが発生した際に、一次のアンケート内容が表示部３１２に表示され、次に大当りが発生した際には２次のアンケート内容が、さらに次に大当りが発生した際には３次のアンケート内容が順次表示されて複数のアンケートが実施されるようになっている。
【００５２】
尚、本実施例では、これらのアンケート内容を表示するタイミングを全てのカードユニット３において共通に設定するようにしているが、本発明はこれに限定されるものではなく、これらのアンケート内容を表示するタイミングをカードユニット３が対応するパチンコ機２の機種や、カードユニット３が設置されている遊技島毎に、個別に設定できるようにして、パチンコ機２の機種の違いによる遊技性に合わせて、アンケート内容を表示するタイミングを設定変更できるようにしても良い。
【００５３】
また、本実施例では、これらのアンケート内容を表示するタイミングを全てのアンケート内容に共通に設定するようにしているが、本発明はこれに限定されるものではなく、例えばアンケート毎に、異なる表示タイミングを設定できるようにしても良い。
【００５４】
次いで、本実施例に用いた管理サーバ１４０とサイトサーバ１４の構成と、該サイトサーバ１４にて形成されるアンケート受付けサイトにおけるアンケート受付けの流れについて説明する。
【００５５】
まず、本実施例に用いた管理サーバ１４０とサイトサーバ１４の構成を図６に示す。この本実施例のサイトサーバ１４はコンピュータ内部にてデータの送受を行うデータバス１８１に、該サイトサーバ１４が実施する各種処理等を実施する中央演算処理装置（ＣＰＵ）１８２や、該ＣＰＵ１８２が行う処理に使用されるワークメモリ等として使用されるＲＡＭ１８３や、ＬＡＮケーブルを通じて管理サーバ１４０とのデータの送受信を行う第１通信部１８８と、前記インターネット網に接続されたアンケート依頼者の情報端末であるパソコン１５とデータの送受信を行う第２通信部１８９と、磁気ディスクや光磁気ディスクから成り、前記ＣＰＵ１８２が実施するアンケート受付け処理や、アンケート結果メールの送信処理等を実施するための処理プログラムや、サイトを構築・運営するためのＨＴＭＬデータ等から成るＷＷＷ（ワールドワイドウェッブ）データ等の各種データが記憶された記憶装置１８４と、が接続された比較的高速の演算処理が可能なコンピュータとされている。
【００５６】
また、サイトサーバ１４の前記ＣＰＵ１８２は、インターネット網を介してサイトサーバ１４のＷＷＷ（ワールドワイドウェッブ）サイトであるアンケート受付けサイトにアクセスしてきたアンケート依頼者の情報端末であるパソコン１５へ、アンケート受付けページ（図９参照）等の各種ページの配信処理や、アンケート結果メールを送信するメール送信処理を実施する。
【００５７】
また、これらの処理において発生するデータ並びに受付けた各種データは、管理サーバ１４０に送信されて各種の処理や各種テーブルの更新等が実施される。つまり、ＣＰＵ１８２は各種処理において必要な情報があった場合には管理サーバ１４０と協調して各種の処理を行う。
【００５８】
また、前記記憶装置１８４には、利用者並びに遊技場が使用する各情報端末のプラットホーム（オペレーションシステム）等に依存せずに、どのプラットホームにおいても相互に使用可能なＨＴＭＬ（ハイパーテキストマークアップラングエッジ）言語にて記述され、各プラットホームにおいて動作するブラウザソフトを用いて情報の閲覧、入力が実施できるホームページ形式のＷＷＷ（ワールドワイドウェッブ）データが記憶されており、これらＷＷＷ（ワールドワイドウェッブ）データと前記各種処理プログラムとが協調して、サイト内の各種処理を実施するようになっている。
【００５９】
また管理サーバ１４０は、コンピュータ内部にてデータの送受を行うデータバス１４１に、モニタ等の表示装置１４６や、キーボードやマウス等の入力装置１４４や、該管理サーバ１４０が実施する各種処理等を実施する中央演算処理装置（ＣＰＵ）１４２や、該ＣＰＵ１４２が行う処理に使用されるワークメモリ等として使用されるＲＡＭ１４３や、時刻情報や任意の年月日、曜日等のカレンダ情報を出力可能なリアルタイムクロック（ＲＴＣ）１４７と、前記サイトサーバ１４の第１通信部１８８にＬＡＮケーブルで相互に接続とされてデータの送受信を行う通信部１４９と、通信回線１１を通じて各遊技場に設置された会員管理コンピュータ１２０とのデータの送受信を行うデジタルサービスユニット（ＤＳＵ）１４８と、磁気ディスクや光磁気ディスクから成り、前記ＣＰＵ１４２が実施する各種処理を実施するための処理プログラムに加えて、後述する遊技場別会員情報テーブル、アンケートテーブル等の各種テーブル等が記憶された記憶装置１４５と、が接続された比較的高速の演算処理が可能なコンピュータとされている。
【００６０】
また、本実施例の管理サーバ１４０のＣＰＵ１４２は、前記サイトサーバ１４にて受付けたアンケートに、当該アンケートを個々に識別可能なアンケートＩＤを付与するアンケートＩＤ付与処理や、該アンケートＩＤ付与処理にて付与したアンケートＩＤに対応付けて、受付けたアンケートに関する情報をアンケートテーブル（図８参照）に記憶するアンケート登録処理や、受付けたアンケートの対象条件を満たすアンケート対象者となる会員遊技者を抽出する抽出処理や、各遊技場の会員管理コンピュータ１２０に該抽出処理にて抽出された各遊技場においてアンケート対象とされる会員ＩＤとアンケートＩＤとアンケート内容データとを含むアンケート要求情報（優先の受付けがある場合には優先情報を含む）を送信するアンケート要求情報送信処理や、該会員管理コンピュータ１２０から送信されてくる回答情報に基づいて、アンケート結果を集計するアンケート結果集計処理や、該集計したアンケート結果（集計結果）の電子メールをアンケート依頼者から受付けた配信を希望するスケジュールに基づいて、前記サイトサーバ１４より送信させるためのアンケート結果送信処理を実施する。
【００６１】
本実施例における遊技場別会員情報テーブルには、図７に一部略示すように、各遊技場を個々に特定可能な遊技場特定情報である遊技場ＩＤに対応付けて、当該遊技場において会員登録を実施して会員用記録媒体である会員カードの発行を受けた会員遊技者の会員ＩＤが記憶されているとともに、これら各会員ＩＤに対応付けて、当該会員遊技者の氏名（名字並びに名前）、性別、生年月日、職業、郵便番号、住所、電子メールアドレス、電話番号、携帯電話番号等の個人情報や、交通手段、趣味、記念日等の会員遊技者の属性情報が記憶されており、これら各遊技場の各会員遊技者の属性情報に基づいて、アンケート対象者の抽出が実施される。
【００６２】
これら遊技場別会員情報テーブルに記憶されている各遊技場の属性情報は、図１０に示すように、本実施例では一日に１回、会員管理コンピュータ１２０から、当該会員管理コンピュータ１２０の会員情報テーブルにおいて各会員ＩＤに対応付けて記憶されている属性情報と当該遊技者の会員ＩＤと遊技場ＩＤとから成る更新データが管理サーバ１４０に対して送信されることで、該更新データを受信した管理サーバ１４０が、受信した更新データに基づいて遊技場別会員情報テーブルを更新することにより、新規に会員ＩＤが会員情報テーブルに登録された遊技者をはじめとする各遊技者の属性情報等が最新のデータに更新、管理されるようになっている。
【００６３】
また、本実施例におけるアンケートテーブルには、図８に示すように、アンケート受付けサイトを構成するサイトサーバ１４にてアンケート依頼者から受付けたアンケートを個々に識別可能とするアンケートＩＤに対応付けて、アンケートに関する情報である、アンケート依頼者に付与されたクライアントＩＤと、アンケートを受付けた受付日と、アンケート名と、アンケートの対象者とする会員遊技者の属性情報に関する対象条件と、アンケートの実施期間と、アンケート結果（集計結果）の電子メールをアンケート依頼者のパソコン１５に送信する時期である集計結果送信スケジュールと、優先設定の有無と、当該アンケートの内容データが記憶されたアンケートファイルへのパスデータと、会員管理コンピュータ１２０から送信される蓄積データによる集計結果に基づいて更新される集計結果ファイルへのパスデータとが記憶されている。
【００６４】
このサイトサーバ１４にてアンケート依頼者からアンケートを受付ける流れとしては、まず、アンケート依頼者は、アンケート受付け会社にサイト会員の申込を実施して、予めクライアントＩＤとパスワードの発行を受けておく。これらクライアントＩＤとパスワードの情報は、管理サーバ１４０の図示しないクライアントテーブルに登録されており、該クライアントテーブルには、各クライアントであるアンケート依頼者の電子メールアドレスがクライアントＩＤに対応付けて登録されており、アンケート集計結果の電子メールが、該クライアントテーブルに登録（記憶）されている各アンケート依頼者であるクライアントの電子メールに送信されるようになっている。
【００６５】
これら予めサイト会員の申込を実施したアンケート依頼者（クライアント）がアンケートの依頼を実施したい場合には、クライアントＩＤとパスワードとともに予め通知されているアンケート受付けサイトのＵＲＬにアクセスすることで、クライアントＩＤとパスワードとを受付ける図示しない「ログイン」ページがアンケート依頼者のパソコン１５に配信されて、クライアントＩＤとパスワードの受付けが実施される。
【００６６】
これら配信された「ログイン」ページにてアンケート依頼者がクライアントＩＤとパスワードと入力した場合には、該入力されたクライアントＩＤとパスワードとが、サイトサーバ１４と介して管理サーバ１４に送信されて、該クライアントＩＤとパスワードが、前記クライアントテーブルに登録（記憶）されているクライアントＩＤに対応するパスワードに一致するか否かに基づく認証が実施され、該認証がＯＫである場合において、ログインが許諾されて、サイトサーバ１４から図９に示すアンケート受付けページが、アンケート依頼者のパソコン１５に配信される。
【００６７】
この本実施例におけるアンケート受付けページには、図９に示すように、その上部位置に、新たに受付けるアンケートに付与されるアンケートＩＤと、アンケート受付け日と、クライアントＩＤとが表示されており、その下方領域に、新たに依頼するアンケートに関する設定内容を入力するための設定入力部が設けられている。尚、本実施例においてアンケートに付与されるアンケートＩＤは、その先頭部にクライアントＩＤが、該クライアントＩＤに続けてアンケート受付け日が、アンケート受付け日に続く最終の１桁がそのアンケート受付け日において当該同一のクライアントから受付けたアンケートのシリアル番号とされており、該アンケートＩＤから、クライアントＩＤやアンケート受付け日も特定できるようになっている。
【００６８】
この本実施例のアンケート受付けページにおける設定入力部には、図９に示すように、アンケートを実施する実施期間を設定するための「アンケート実施期間」の項目と、アンケート名を入力するための「アンケート名」の項目と、アンケートを実施するアンケート対象者とする会員遊技者の属性情報に関する対象条件を選択設定するための「アンケート対象条件」の項目と、アンケート結果（集計結果）の電子メールが送信される送信タイミングを選択設定するための「集計結果送信スケジュール」の項目と、当該アンケートを優先設定とするか否かを選択設定するための「優先設定にする」の項目ととともに、カードユニット３の表示部３１２に表示されるアンケート内容となるアンケートデータのファイルを選択してアップロードするための「アンケートデータのアップロード」の項目とが設けられている。
【００６９】
この設定入力部においてアンケート依頼者であるクライアントは、所望するアンケート実施期間を「アンケート実施期間」の項目に設定し、アンケート名を「アンケート名」の項目に入力し、アンケート対象としたい会員遊技者の属性情報、例えば「男性限定」や「女性限定」や「４０歳以上」等のように「アンケート対象条件」のポップアップメニューの中から選択して設定し、所望するアンケート結果（集計結果）の電子メールの送信タイミングを「集計結果送信スケジュール」の項目に設定し、他のアンケートよりも本アンケートを優先にしたい場合には「優先設定にする」に対応する「する」の項目を設定し、予めアンケート受付け会社から配布されたアンケート作成ユーテリティプログラムにより作成したアンケートファイルへのパスを「参照」を選択入力して「アンケートデータのアップロード」の項目に表示させた後、「送信」の選択入力部を選択入力することで、これら設定入力部にて設定された内容であるアンケート実施期間の情報や、アンケート名、アンケート対象条件の情報、集計結果送信スケジュールの情報、優先設定の情報とアップロードされたアンケートファイルとともにアンケートＩＤとクライアントＩＤが管理サーバ１４０に送信されることで、該管理サーバ１４０の前記アンケートテーブルの対応する項目に、該送信されてきた各情報が登録（記憶）される。（図１０参照）つまりは、このようにしてアンケート調査の実施対象とする会員遊技者の属性情報に関する対象条件とアンケート内容とを含むアンケート情報並びにアンケート集計結果を通知する時期を示す情報である集計結果送信スケジュールの情報が管理サーバ１４０に入力されるようになっている。
【００７０】
次いで、このようにしてアンケート受付けサイトにてアンケート依頼者（クライアント）から受付けられ、管理サーバ１４０のアンケートテーブルに登録されたアンケートが各遊技場において実施される流れについて、図１０に基づいて説明すると、まず、管理サーバ１４０は、アンケートテーブルに登録されている各アンケートのうち、その当日が実施期間の実施開始日に該当するアンケート（アンケートＩＤ）と該アンケートの対象条件を特定し、該特定したアンケートの対象条件を満たす会員遊技者の会員ＩＤと遊技場ＩＤとを全て前記遊技場別会員情報テーブルから抽出する。具体的には、遊技場別会員情報テーブルに記憶された属性情報が対象条件として設定された属性情報を満たす会員ＩＤを抽出する。
【００７１】
そして、該抽出した会員ＩＤを各遊技場ＩＤ別に区分けし、これら各遊技場毎に区分けされた会員ＩＤと、前記にて特定した当該アンケートのアンケートＩＤと、前記アンケートテーブルに当該アンケートＩＤに対応する優先設定の項目に「有」が登録されている場合には、該アンケートを優先する旨の優先情報と、前記アンケートテーブルに当該アンケートＩＤに対応するアンケートファイルパスに記憶されているパスから特定されるアンケートファイル（アンケートデータ）とを含むアンケート要求情報を、区分けした各遊技場に設置されている会員管理コンピュータ１２０に送信する。
【００７２】
このアンケート要求情報を受信した会員管理コンピュータ１２０は、受信したアンケート要求情報に含まれるアンケートファイル（アンケートデータ）を記憶装置１２４の所定記憶領域に記憶するとともに、該アンケートファイル（アンケートデータ）へのパスデータとアンケート要求情報に含まれるアンケートＩＤとを対応付けて図示しないアンケートデータテーブルに記憶した後、受信したアンケート要求情報に優先情報が含まれているか否かを特定し、優先情報が含まれている場合には、受信したアンケート要求情報に含まれる全ての会員ＩＤに対応する前記会員情報テーブルのアンケートＩＤの１次の項目に当該アンケート要求情報に含まれるアンケートＩＤを登録（記憶）する一方、優先情報が含まれていない場合には、受信したアンケート要求情報に含まれる全ての会員ＩＤに対応する前記会員情報テーブルのアンケートＩＤの最も低い次数の項目に当該アンケート要求情報に含まれるアンケートＩＤを登録（記憶）することで、これらアンケート要求情報に含まれる各会員ＩＤの会員遊技者が当該アンケートのアンケート対象者として設定される。
【００７３】
そして、このようにしてアンケート対象として設定されている会員遊技者が遊技場に来場し、カードユニット３の会員カード挿入口３０９に会員カードを挿入すると、該挿入された会員カードからカードリーダライタ３２７により、会員ＩＤを含む記録情報が読み出されて制御ユニット３２８に出力されることで、制御ユニット３２８は、会員カードの新規受付けがあったものと判断し、該新たに受付けた会員カードから読み出した会員ＩＤと当該カードユニット３を個々に特定可能に付与された装置ＩＤとを含む会員カード受付け通知を会員管理コンピュータ１２０に送信する。
【００７４】
該会員カード受付け通知の受信に基づいて会員管理コンピュータ１２０のＣＰＵ１２２は、該受信した会員カード受付け通知に含まれる会員ＩＤに対応して会員情報テーブルに記憶されている来店ポイントに、所定の来店ポイントを加算して会員情報テーブルを更新し、該会員ＩＤに対応して当該会員情報テーブルの会員ＩＤの項目にアンケートＩＤが登録（記憶）されているかを確認する。
【００７５】
該確認においてアンケートＩＤが登録されている場合には、前記アンケート表示タイミング設定画面において「複数アンケートを実施しますか」の項目に対応する「する」のチェックボックスがチェック（選択）されて複数アンケートの実施が設定されているか否かを判定し、複数アンケートの実施が設定されていない場合には、アンケートＩＤの項目の一次に記憶（登録）されているアンケートＩＤと、当該アンケートＩＤに対応して前記アンケートデータテーブルに記憶されているパスデータから特定されるアンケートファイル（アンケートデータ）と、前記アンケート表示タイミング設定画面において選択設定されている表示タイミングを特定可能な表示タイミングデータとを含むアンケート実施情報を、前記会員カード受付け通知を送信してきたカードユニット３に送信する。尚、複数アンケートの実施が設定されている場合には、各次のアンケートＩＤを含むアンケート実施情報を、１次から２次、３次…と順次カードユニット３に、連続的に送信することで、カードユニット３では、受信した順序（優先順位）に従って各アンケート実施情報に含まれるアンケート内容が表示される。
【００７６】
これらアンケート実施情報を受信したカードユニット３は、該受信したアンケート実施情報に含まれるアンケートファイル（アンケートデータ）に基づくアンケート内容を、当該アンケート実施情報に含まれる表示タイミングデータから特定される表示タイミング、例えば大当り発生時等において、図１２（ａ）に示すように表示する。
【００７７】
これら表示部３１２に表示されるアンケート内容としては、図１２（ａ）に示すように、はじめにアンケートへの協力を依頼するメッセージとともに、アンケートに答えることで特典として来店ポイントが付与されることを会員遊技者に報知するメッセージが表示され、アンケートへの回答をするか否かの受付けが実施される。
【００７８】
このアンケートへの回答可否受付けにおいて「いいえ」が選択された場合には、アンケート内容の表示が中止されるとともに、前記会員管理コンピュータ１２０から送信されてきた全てのアンケート実施情報が制御ユニット３２８の記憶部から削除されることで無効化される。
【００７９】
また、このアンケートへの回答可否受付けにおいて「はい」が選択された場合には、図１２（ｂ）に進んで、アンケートファイル（アンケートデータ）に基づくアンケート内容である各種の質問内容が順次表示されて回答の受付けが実施されて、全ての質問への回答が終了した後、図１２（ｃ）に示すアンケート終了のメッセージとともに、来店ポイントを付与する旨のメッセージが表示される。尚、本実施例においては、アンケート内容への回答として、具体的には、表示部３１２に「はい」、「いいえ」の選択入力部を表示して、該表示された「はい」、「いいえ」を会員遊技者が選択することで、タッチパネル３１８による回答の受付けを実施する。
【００８０】
このようにして受付けたアンケートへの回答内容（回答データ）は、当該アンケートのアンケートＩＤと会員ＩＤと装置ＩＤとともにアンケート回答情報に含まれた形態にて、制御ユニット３２８の通信部３３４から会員管理コンピュータ１２０に対して送信される。
【００８１】
そして該送信されたアンケート回答情報を受信した会員管理コンピュータ１２０のＣＰＵ１２２は、受信したアンケート回答情報に含まれる会員ＩＤに対応付けて前記会員情報テーブルに記憶されているアンケートＩＤの中から当該アンケート回答情報に含まれるアンケートＩＤを削除することで、同一のアンケートが当該会員遊技者に繰返し実施されることを回避するとともに、該会員情報テーブルに該会員ＩＤに対応付けて記憶されている来店ポイントに、会員遊技者に報知した所定のポイント数、例えば５０Ｐを加算更新して付与する。そして、このようにして各カードユニット３から受信したアンケート回答情報を所定期間、例えば１時間等に亘り蓄積しておき、これら蓄積した各アンケート回答情報を、所定期間毎に遊技場ＩＤとともに蓄積データとして管理サーバ１４０に送信する。
【００８２】
このようにして各遊技場に設けられた会員管理コンピュータ１２０から送信される蓄積データを受信した管理サーバ１４０は、該蓄積データに含まれる各アンケート回答情報に基づいて、アンケート回答情報に含まれるアンケートＩＤ毎に、各質問内容に対する各種別（「はい」または「いいえ」）の回答人数を集計することで各アンケート毎のアンケート結果を集計し、該集計結果に基づいて各アンケートのアンケートＩＤに対応してアンケートテーブルの集計結果ファイルパスの項目に記憶されているパスデータから特定されるの集計結果ファイルを更新する。
【００８３】
そして、管理サーバ１４０は、アンケートテーブルに記憶された各アンケートの集計結果送信スケジュールに基づき、各アンケートの集計結果（アンケート結果）の電子メールをアンケート依頼者であるクライアントに送信するタイミングを特定し、例えば、該集計結果送信スケジュールに１日１回が記憶（登録）されている場合には、一日における所定時間（例えば正午）に、当該アンケートに対応してアンケートテーブルの集計結果ファイルパスの項目に記憶されているパスデータから特定されるの集計結果ファイルから、その時点における集計結果を読み出し、該集計結果ファイルから読み出したその時点の集計結果を含むアンケート結果（集計結果）の電子メールを、アンケートＩＤに含まれるクライアントＩＤに対応付けて前記クライアントテーブルに記憶されている電子メールドレスに送信することで、該電子メールを受信したアンケート依頼者であるクライアントのパソコン１５には、図１３に示すように、受信した電子メールによる依頼したアンケートの集計結果が表示される。
【００８４】
この本実施例のアンケート集計結果には、実施したアンケートの内容、具体的には、アンケートＩＤや、アンケート受付け日、クライアントＩＤや、集計結果送信スケジュール、アンケートの実施期間や、アンケート名や、アンケート対象条件とが表示されるとともに、アンケートを実施した会員遊技者の総人数、並びに各質問の各回答種別（「はい」または「いいえ」）毎の回答人数が集計されている。尚、これら送信される電子メールには、アンケート集計結果のグラフが添付されており、画面中の「グラフ表示」の選択入力部を入力することで、該添付されているグラフが表示されるようになっている。
【００８５】
尚、管理サーバ１４０は、アンケートテーブルに登録されている各アンケートのうち、その当日が実施期間の実施終了日に該当するアンケートを特定し、当該実施終了日の営業終了後の所定時間において、当該特定したアンケートのアンケートＩＤを含む終了要求を各遊技場の会員管理コンピュータ１２０に送信することで、該終了要求に含まれるアンケートＩＤが会員情報テーブルのアンケートＩＤの項目から全て削除されることで該アンケートの実施が終了されるようになり、これらアンケート要求情報が送信されてから終了要求が送信されるまでの期間において当該アンケートが実施される。
【実施例２】
【００８６】
次に、本発明の請求項２に対応する本実施例２の遊技用システムについて説明すると、本実施例２の遊技用システムの特徴点は、前記実施例１の遊技用システムその構成は同一とされているが、前記実施例１の遊技用システムにおいては、アンケート受付け会社に設置されている管理サーバ１４０においても、各遊技場に設置されている会員管理コンピュータと同様に、遊技場別会員情報テーブルにおいて、各遊技場の会員遊技者の属性情報を管理するようにしていることから、該管理サーバ１４０が遊技場別会員情報テーブルに記憶されている各会員遊技者の属性情報に基づいてアンケート対象条件を満たすアンケート対象者を抽出するようにしていたが、本実施例２では、アンケート受付け会社に設置された管理サーバ１４０において、各遊技場の会員遊技者の属性情報を管理しない場合においても適用できるようにするために、これら管理サーバ１４０が実施していたアンケート対象者の抽出を、会員管理コンピュータ１２０にて実施するようにしている点が大きな特徴であり、その他の構成は、前記実施例１と同一であることから説明を省略し、これら会員管理コンピュータ１２０にてアンケート対象者の抽出が実施される流れについて、図１４に基づいて以下に説明する。
【００８７】
まず、アンケート依頼者からアンケートを受付けることで、前記実施例１の場合と同様に、アンケート受付けページにおける設定入力部にて設定された内容であるアンケート実施期間の情報や、アンケート名、アンケート対象条件の情報、集計結果送信スケジュールの情報、優先設定の情報とアップロードされたアンケートファイルとともにアンケートＩＤとクライアントＩＤがサイトサーバ１４から管理サーバ１４０に送信されることで、該管理サーバ１４０の前記アンケートテーブルの対応する各項目に、該送信されてきた各情報がそれぞれ登録（記憶）される。
【００８８】
そして管理サーバ１４０（ＣＰＵ１４２）は、このようにしてアンケートテーブルに登録されている各アンケートのうち、その当日が実施期間の実施開始日に該当するアンケート（アンケートＩＤ）と該アンケートの対象条件を特定し、該特定したアンケートの対象条件とアンケートＩＤと、前記アンケートテーブルに当該アンケートＩＤに対応する優先設定の項目に「有」が登録されている場合には、該アンケートを優先する旨の優先情報と、前記アンケートテーブルに当該アンケートＩＤに対応するアンケートファイルパスに記憶されているパスから特定されるアンケートファイル（アンケートデータ）とを含むアンケート情報を、各遊技場の会員管理コンピュータ１２０に送信するアンケート情報送信処理を実施する。尚、管理サーバ１４０は、アンケートテーブルに登録されている各アンケートのうち、その当日が実施期間の実施終了日に該当するアンケートを特定し、当該実施終了日の営業終了後の所定時間において、当該特定したアンケートのアンケートＩＤを含む終了要求を各遊技場の会員管理コンピュータ１２０に送信することで、該終了要求に含まれるアンケートＩＤが会員情報テーブルのアンケートＩＤの項目から全て削除されることで該アンケートの実施が終了されるようになり、これらアンケート情報が送信されてから終了要求が送信されるまでの期間において当該アンケートが実施される。
【００８９】
このアンケート情報を受信した会員管理コンピュータ１２０は、受信したアンケート情報に含まれるアンケートファイル（アンケートデータ）を記憶装置１２４の所定記憶領域に記憶するとともに、該アンケートファイル（アンケートデータ）へのパスデータとアンケート情報に含まれるアンケートＩＤとを対応付けて図示しないアンケートデータテーブルに記憶した後、受信したアンケート情報に含まれるアンケートの対象条件を満たす会員遊技者（会員ＩＤ）を、前記会員情報テーブルに記憶されている各会員の属性情報に基づいて全て抽出し、該抽出した会員遊技者の会員ＩＤに対応するアンケートＩＤの項目に当該アンケートＩＤを登録（記憶）することで、当該会員遊技者をアンケート対象に設定する。尚、このアンケートＩＤを登録する際、受信したアンケート情報に優先情報が含まれている場合には、アンケートＩＤを一次に登録し、既に登録されているアンケートＩＤを下位の次数に更新登録し、受信したアンケート情報に優先情報が含まれていない場合には、アンケートＩＤを最も低い次数に登録（記憶）する。
【００９０】
このようにしてアンケート対象に設定された会員遊技者に対してアンケートが実施される流れは、前記実施例１と同様とされ、当該アンケート対象に設定された会員遊技者の会員カードがカードユニット３に受付けたれた場合に、アンケート実施情報が該カードユニット３に送信されてアンケート内容が表示されてアンケートへの回答の受付けが実施されるとともに、該受付けられた回答情報を含むアンケート回答情報が会員管理コンピュータ１２０に送信されて、特典である来店ポイントの付与が実施されるとともに、所定時間に亘り蓄積された該アンケート回答情報が管理サーバ１４０に送信されることで、アンケート結果の集計が実施され、該集計されたアンケート結果が電子メールによりアンケート依頼者に通知される。
【００９１】
以上説明したように、前記各実施例の遊技用システムによれば、管理サーバ１４０または会員管理コンピュータ１２０がアンケート対象会員抽出手段として機能することにより、アンケート対象者とする対象条件を満たす会員遊技者が、各会員遊技者の属性情報に基づいて抽出され、当該抽出されたアンケート対象者の会員カードを受付けたカードユニット３の表示部３１２にアンケート内容が表示されてアンケートの受付けが実施されるようになるため、アンケートを実施する対象者を的確に絞り込んでアンケートを実施できるとともに、遊技機であるパチンコ機２とは別のカードユニット３の表示部３１２にアンケート内容が表示されるようになるため、遊技内容に依存することなく、アンケート依頼者の要望に沿った多彩なアンケートを実施することができる。
【００９２】
また、前記各実施例の遊技用システムによれば、アンケート表示タイミング設定画面にてアンケート内容が表示されるタイミング（時期）を設定変更でき、これにより、アンケートの回答に好適なタイミング、例えば、大当り発生時等の会員遊技者の気分が良いときに、アンケート内容を表示して回答を受付けることで、アンケートに対する回答率を向上できる。
【００９３】
また、前記各実施例の遊技用システムによれば、アンケートに回答した会員遊技者に特典として来店ポイントを付与しており、このようにすることは、アンケートを実施することで特典が得られることから、特典を付与しない場合に比較して、アンケートに対する回答率を向上できる。
【００９４】
また、前記各実施例の遊技用システムによれば、同一の会員遊技者が複数のアンケートのアンケート対象者となっている場合に、当該複数のアンケートに、１次、２次、３次…のように優先度の順位付けがなされて、優先度の高い１次のアンケートのアンケート内容が優先的に表示されることで、所望のアンケートを他のアンケートよりも優先して表示させることが可能となるばかりか、これら同一の会員遊技者をアンケート対象とする複数のアンケートが存在する場合において、的確にアンケートが表示されるようになる。
【００９５】
また、前記各実施例の遊技用システムによれば、アンケート依頼者からアンケート結果の電子メールを送信する集計結果送信タイミングの指定を受付け、該受付けた集計結果送信タイミングにおいてアンケート結果の電子メールが送信されることで、アンケート依頼者が要望する時期（タイミング）にて集計結果がアンケート依頼者に通知されるようになり、アンケート依頼者の利便性を向上できる。
【００９６】
以上、本発明の実施例を図面により説明してきたが、具体的な構成はこれら実施例に限られるものではなく、本発明の要旨を逸脱しない範囲における変更や追加があっても本発明に含まれる。
【００９７】
例えば、前記各実施例では、管理サーバ１４０とサイトサーバ１４とを、セキュリティ性の向上の観点から個別に設けているが、本発明はこれに限定されるものではなく、これら管理サーバ１４０とサイトサーバ１４とを１つのサーバにて構成しても良い。
【００９８】
また、前記各実施例では、遊技用装置であるカードユニット３が、貸出処理や再プレイ処理や追加入金処理を実施するようにしているが、本発明はこれに限定されるものではなく、これらのいずれか１つあるいは２つの処理機能を有するものであっても良いし、更には、これらのいずれの処理機能を有することなく、例えば、会員カードを挿入することで、会員カードに記録された記録情報である会員ＩＤにより会員カードが挿入されたものとの判断に基づいて、対応する台の遊技情報を表示する遊技情報表示処理機能を有するものであっても良い。
【００９９】
また、前記各実施例では、端末装置となるカードユニット３を各パチンコ機２に１対１に対応して設けているが、本発明はこれに限定されるものではなく、これらアンケートに対する回答を受付けるための端末装置を、店舗となる遊技場内の所定位置、例えば遊技場内に設置される遊技島の島端等に設置しても良い。
【０１００】
また、前記各実施例では、店舗として遊技場を適用した例を示したが、本発明はこれに限定されるものではなく、これら店舗としては、請求項１に対応するシステムであれば、前記アンケート対象者設定手段と、前記アンケート対象者判定手段と、前記アンケート送信手段とを備える管理装置と、前記受付け通知送信手段と、前記表示手段と、前記回答受付け手段と、前記アンケート回答情報送信手段とを備える端末装置とが設置された店舗であれば良いし、請求項２に対応するシステムであれば、前記会員属性情報記憶手段と、前記アンケート対象会員抽出手段と、前記アンケート対象者設定手段と、前記アンケート対象者判定手段と、前記アンケート送信手段とを備える管理装置と、前記受付け通知送信手段と、前記表示手段と、前記回答受付け手段と、前記アンケート回答情報送信手段とを備える端末装置とが設置された店舗であれば良い。例えば、コンビニエンスストアやデパート等の店舗であれば、該店舗内に設置され、各種商品の購入やサービスの予約等を実施するための顧客用の情報端末（端末装置）に前記受付け通知送信手段と、前記表示手段と、前記回答受付け手段と、前記アンケート回答情報送信手段とを備えることで、当該コンビニエンスストアやデパート等の店舗独自或いはクレジットカード会社や旅行会社や航空会社の会員並びに当該店舗チェーン共通の会員が、商品やサービスの購入操作を行うとき等にアンケートを表示するようにすれば良い。
【０１０１】
また、ゲームセンターにおいて、ゲーム機に対応して前記受付け通知送信手段と、前記表示手段と、前記回答受付け手段と、前記アンケート回答情報送信手段とを備える端末装置を設置したり、ゲーム機自体に前記受付け通知送信手段と、前記表示手段と、前記回答受付け手段と、前記アンケート回答情報送信手段とを備えることで、該ゲーム機自体を端末装置として利用しても良い。
【０１０２】
さらに、パソコンが複数設置されたインターネットカフェにおいて、パソコン端末に対応して前記受付け通知送信手段と、前記表示手段と、前記回答受付け手段と、前記アンケート回答情報送信手段とを備える端末装置を設置したり、該パソコンに前記受付け通知送信手段と、前記表示手段と、前記回答受付け手段と、前記アンケート回答情報送信手段となる処理プログラムを記憶することで、該パソコン自体を前記端末装置として利用しても良い。
【０１０３】
さらにまた、個室を利用者に貸与するような店舗（例えば、カラオケボックス）において、各個室毎に前記端末装置を設置するようにしても良いし、各個室毎に設置されているカラオケ装置に前記受付け通知送信手段と、前記表示手段と、前記回答受付け手段と、前記アンケート回答情報送信手段とを備えるようにしても良い。
【０１０４】
また、前記実施例では優先順位の設定が管理サーバ１４０から優先情報が送信されることに基づいて、会員管理コンピュータ１２０において実施される構成としているが、本発明はこれに限定されるものではなく、これら管理サーバ１４０からの優先情報に依らず、会員管理コンピュータ１２０において入力設定するようにしても良い。
【０１０５】
前記各実施例では、アンケートの回答情報を加工することなくそのまま管理サーバ１４０に送信しているが、本発明はこれに限定されるものではなく、会員管理コンピュータ１２０において当該店舗分を一時集計して管理サーバ１４０に送信するようにしても良く、これら一時集計された一時集計結果も、本発明におけるアンケート回答情報に含まれる。
【０１０６】
また、前記各実施例では、付与する特典をポイントとし、該ポイントの付与を会員管理コンピュータ１２０において実施するようにしているが、本発明はこれに限定されるものではなく、これらの特典をサイトサーバ１４にて運営するサイト上において利用可能なポイントとして、管理サーバ１４０にて当該ポイントの付与を実施するようにしても良い。
【０１０７】
また、前記実施例１では、会員管理コンピュータ１２０においても、会員情報テーブルにおいて、各会員の属性情報を管理するようにしているが、本発明はこれに限定されるものではなく、例えば、各遊技場の会員登録をサイトサーバ１４にて受付ける場合等において、管理サーバ１４０のみにおいて、遊技場別会員情報テーブルにて各会員の属性情報を管理するようにし、会員管理コンピュータ１２０においては各会員の属性情報の管理を実施しない構成としても良い。
【０１０８】
また、前記各実施例では、付与する特典を来店ポイントとしているが、本発明はこれに限定されるものではなく、これら付与する特典として、例えば、これら各遊技場に予め、アンケート実施期間において、アンケート依頼者から提供される粗品や試供品等を配送しておき、アンケートの回答受付けが完了を、カードユニット３が係員等にランプ等を点灯して報知することで、前記粗品や試供品等が係員より進呈されるようにしても良い。
【０１０９】
また、前記各実施例では、アンケート情報の入力が、アンケート依頼者のパソコン１５からインターネット網を介してサイトサーバ１４がアンケート情報を受付けて、該受付けたアンケート情報が管理サーバ１４０に送信されて入力されるようにしているが、本発明はこれに限定されるものではなく、これらアンケート依頼者からのアンケート依頼を、例えば、アンケート受付け会社が、ファックス等にて受付け、該受付けたアンケートのアンケート情報を、管理サーバ１４０の入力装置１４４から、直接入力するようにしても良い。
【０１１０】
また、前記各実施例では、アンケート結果を電子メールにてアンケート依頼者に送信するようにしているが、本発明はこれに限定されるものではなく、これらアンケートの集計結果を、管理装置１４０においてプリント出力し、該プリント出力した集計結果を郵送等によりアンケート依頼者に送付するようにしても良い。
【０１１１】
前記実施例における各要素は、本発明に対して以下のように対応している。
本発明の請求項１は、店舗（遊技場）内に設けられ、会員を個々に識別可能な会員識別情報（会員ＩＤ）が記録された会員用記録媒体（会員カード）を受付け、該受付けた会員用記録媒体から読み出した会員識別情報を含む会員用記録媒体受付け通知（会員カード受付け通知）を送信する受付け通知送信手段（制御ユニット３２８、通信部３３４）を備える端末装置（カードユニット３）と、各店舗を個々に特定可能な店舗特定情報（遊技場ＩＤ）と、当該店舗の各会員の前記会員識別情報とに対応付けて、当該会員の属性情報を記憶するための店舗別会員属性情報記憶手段（記憶装置１４５；遊技場別会員情報テーブル）と、アンケート調査の実施対象とする会員の属性情報に関する対象条件とアンケート内容とを含むアンケート情報を入力するためのアンケート情報入力手段（サイトサーバ１４、通信部１４９）と、該アンケート情報入力手段にて入力されたアンケート情報に含まれる対象条件を満たすアンケート対象者となる会員を、前記店舗別会員属性情報記憶手段に記憶している各店舗における会員の属性情報に基づいて抽出するアンケート対象会員抽出手段（ＣＰＵ１４２、抽出処理）と、該アンケート対象会員抽出手段にて抽出したアンケート対象者となる会員の会員識別情報と、前記アンケート情報入力手段から入力されたアンケート情報に含まれるアンケート内容とを含むアンケート要求情報を、該アンケート対象者となる会員の会員識別情報に対応付けて前記店舗別会員属性情報記憶手段に記憶されている店舗特定情報から特定される店舗に送信するアンケート要求情報送信手段（ＣＰＵ１４２、アンケート要求情報送信処理、デジタルサービスユニット１４８）と、を備える集中管理装置（管理サーバ１４０、サイトサーバ１４）と、各店舗において前記端末装置並びに前記集中管理装置と通信可能に接続されて設けられ、前記アンケート要求情報送信手段から送信されるアンケート要求情報に含まれる会員識別情報から識別される会員をアンケート対象者として設定するアンケート対象者設定手段（ＣＰＵ１２２、アンケート対象者設定処理）と、前記受付け通知送信手段から送信される会員用記録媒体受付け通知の受信に基づいて、当該会員用記録媒体受付け通知に含まれる会員識別情報から識別される会員がアンケート対象者設定手段にてアンケート対象者として設定されている会員であるか否かを判定するアンケート対象者判定手段（ＣＰＵ１２２、アンケート対象者判定処理）と、該アンケート対象者判定手段にてアンケート対象者として設定されている会員であると判定されたことを条件として、前記アンケート要求情報に含まれるアンケート内容を前記会員用記録媒体受付け通知の送信元の端末装置に送信するアンケート送信手段（ＣＰＵ１２２、アンケート送信処理、通信部１２８）と、を備える管理装置（会員管理コンピュータ１２０）と、から成り、前記端末装置は、前記アンケート送信手段から送信されるアンケート内容を表示するための表示手段（制御ユニット３２８、表示部３１２）と、該表示手段に表示されたアンケート内容に対する回答を受付ける回答受付け手段（制御ユニット３２８、タッチパネル３１４）と、該回答受付け手段にて受付けた回答を特定可能なアンケート回答情報を前記管理装置に送信するアンケート回答情報送信手段（制御ユニット３２８、通信部３３４）と、を備え、前記管理装置は、前記アンケート回答情報送信手段から送信されるアンケート回答情報を前記集中管理装置に送信し、前記集中管理装置は、前記管理装置から受信したアンケート回答情報を集計し、該集計結果を出力（アンケート依頼者へ電子メールにて送信）する。
【０１１２】
本発明の請求項２は、店舗（遊技場）内に設けられ、会員を個々に識別可能な会員識別情報（会員ＩＤ）が記録された会員用記録媒体（会員カード）を受付け、該受付けた会員用記録媒体から読み出した会員識別情報を含む会員用記録媒体受付け通知（会員カード受付け通知）を送信する受付け通知送信手段（制御ユニット３２８、通信部３３４）を備える端末装置（カードユニット３）と、アンケート調査の実施対象とする会員の属性情報に関する対象条件とアンケート内容とを含むアンケート情報を入力するためのアンケート情報入力手段（サイトサーバ１４、通信部１４９）と、該アンケート情報入力手段に入力されたアンケート情報を各店舗に配信するアンケート情報配信手段（ＣＰＵ１４２、アンケート情報配信処理、デジタルサービスユニット１４８）と、を備える集中管理装置（管理サーバ１４０、サイトサーバ１４）と、各店舗において前記端末装置並びに前記集中管理装置と通信可能に接続されて設けられ、前記会員識別情報に対応付けて当該会員の属性情報を記憶するための会員属性情報記憶手段（記憶装置１２４；会員情報テーブル）と、前記アンケート情報配信手段から配信されるアンケート情報に含まれる対象条件を満たすアンケート対象者となる会員を、前記会員属性情報記憶手段に記憶している各会員の属性情報に基づいて抽出するアンケート対象会員抽出手段（ＣＰＵ１２２、対象会員抽出処理）と、該アンケート対象会員抽出手段にて抽出された会員をアンケート対象者として設定するアンケート対象者設定手段（ＣＰＵ１２２、アンケート対象者設定処理）と、前記受付け通知送信手段から送信される会員用記録媒体受付け通知の受信に基づいて、当該会員用記録媒体受付け通知に含まれる会員識別情報から識別される会員がアンケート対象者設定手段にてアンケート対象者として設定されている会員であるか否かを判定するアンケート対象者判定手段（ＣＰＵ１２２、アンケート対象者判定処理）と、該アンケート対象者判定手段にてアンケート対象者として設定されている会員であると判定されたことを条件として、前記アンケート情報に含まれるアンケート内容を前記会員用記録媒体受付け通知の送信元の端末装置に送信するアンケート送信手段（ＣＰＵ１２２、アンケート送信処理、通信部１２８）と、を備える管理装置（会員管理コンピュータ１２０）と、から成り、前記端末装置は、前記アンケート送信手段から送信されるアンケート内容を表示するための表示手段（制御ユニット３２８、表示部３１２）と、該表示手段に表示されたアンケート内容に対する回答を受付ける回答受付け手段（制御ユニット３２８、タッチパネル３１４）と、該回答受付け手段にて受付けた回答を特定可能なアンケート回答情報を前記管理装置に送信するアンケート回答情報送信手段（制御ユニット３２８、通信部３３４）と、を備え、前記管理装置は、前記アンケート回答情報送信手段から送信されるアンケート回答情報を前記集中管理装置に送信し、前記集中管理装置は、前記管理装置から受信したアンケート回答情報を集計し、該集計結果を出力（アンケート依頼者へ電子メールにて送信）する。
【０１１３】
本発明の請求項３は、前記端末装置（カードユニット３）の表示手段（表示部３１２）にアンケート内容が表示される表示時期を設定変更するためのアンケート内容表示時期設定変更手段（会員管理コンピュータ１２０、アンケート表示タイミング設定画面）を備え、前記端末装置は、該アンケート内容表示時期設定変更手段にて設定された表示時期において前記表示手段にアンケート内容を表示する。
【０１１４】
本発明の請求項４は、前記回答受付け手段（制御ユニット３２８、タッチパネル３１４）にて回答を受付けた会員に対して特典を付与する特典付与手段（会員管理コンピュータ１２０、特典付与処理）を備える。
【０１１５】
本発明の請求項５は、前記端末装置（カードユニット３）の表示手段（表示部３１２）にアンケート内容が表示される優先順位を設定するための優先順位設定手段（会員管理コンピュータ１２０、ＣＰＵ１２２、優先順位設定処理）を備える。
【０１１６】
本発明の請求項６は、前記集中管理装置（管理サーバ１４０、サイトサーバ１４）は、通信回線網（インターネット網）を介してアンケート依頼者が操作可能な情報端末（パソコン１５）に通信可能に接続され、前記アンケート情報入力手段（サイトサーバ１４、通信部１４９）には、前記情報端末から前記アンケート情報とともにアンケートの集計結果を通知する時期（集計結果送信スケジュール）を示す情報が前記通信回線網を介して入力され、前記集中管理装置は、前記集計した集計結果を、前記アンケート情報入力手段に入力されたアンケートの集計結果を通知する時期において前記情報端末に配信することで出力する。
【０１１７】
本発明の請求項７は、前記端末装置（カードユニット３）は、前記店舗としての遊技場内に複数設置される遊技機（パチンコ機２）のそれぞれに対応して設けられた遊技用装置（カードユニット３）であって、前記受付け通知送信手段受付け通知送信手段（制御ユニット３２８、通信部３３４）は、当該遊技用装置を個々に識別可能な装置識別情報（装置ＩＤ）を含む前記会員用記録媒体受付け通知（会員カード受付け通知）を送信し、前記アンケート送信手段アンケート送信手段（ＣＰＵ１２２、アンケート送信処理、通信部１２８）は、前記アンケート要求情報に含まれるアンケート内容を前記会員用記録媒体受付け通知に含まれる装置識別情報から特定される遊技用装置に送信する。
【図面の簡単な説明】
【０１１８】
【図１】本発明の実施例１における遊技用システムの構成を示すシステム図である。
【図２】本発明の実施例１において用いたパチンコ機並びにカードユニットの正面図である。
【図３】本発明の実施例１におけるカードユニットの構成を示すブロック図である。
【図４】本発明の実施例１に用いた会員管理コンピュータの構成を示す図である。
【図５】本発明の実施例１に用いた会員情報テーブルを示す図である。
【図６】本発明の実施例１に用いた管理サーバとサイトサーバの構成を示す図である。
【図７】本発明の実施例１に用いた管理サーバにおける遊技場別会員情報テーブルを示す図である。
【図８】本発明の実施例１に用いた管理サーバにおけるアンケートテーブルを示す図である。
【図９】本発明の実施例１に用いたアンケート受付けサイトにおけるアンケート受付けページを示す図である。
【図１０】本発明の実施例１を構成する各装置におけるアンケートの実施に関する処理状況を示す図である。
【図１１】本発明の実施例１に用いた会員管理コンピュータにおけるアンケート表示タイミング設定画面を示す図である。
【図１２】本発明の実施例１に用いたカードユニットに表示されるアンケート内容の表示状況を示す図である。
【図１３】本発明の実施例１において送信されるアンケート結果（集計結果）の電子メールを示す図である。
【図１４】本発明の実施例２を構成する各装置におけるアンケートの実施に関する処理状況を示す図である。
【符号の説明】
【０１１９】
２        パチンコ機
３        カードユニット
１４      サイトサーバ
１５      パソコン
１２０    会員管理コンピュータ
１２２    ＣＰＵ
１２４    記憶装置
１２８    通信部
１４０    管理サーバ
１４２    ＣＰＵ
１４４    入力装置
３１２    表示部
３１４    タッチパネル
３２７    カードリーダライタ
３２８    制御ユニット
３３４    通信部
【図１】
2005165372.tif 000003
【図２】
2005165372.tif 000004
【図３】
2005165372.tif 000005
【図４】
2005165372.tif 000006
【図５】
2005165372.tif 000007
【図６】
2005165372.tif 000008
【図７】
2005165372.tif 000009
【図８】
2005165372.tif 000010
【図９】
2005165372.tif 000011
【図１０】
2005165372.tif 000012
【図１１】
2005165372.tif 000013
【図１２】
2005165372.tif 000014
【図１３】
2005165372.tif 000015
【図１４】
2005165372.tif 000016
【手続補正書】
【提出日】平成16年10月18日(2004.10.18)
【手続補正１】
【補正対象書類名】特許請求の範囲
【補正対象項目名】全文
【補正方法】変更
【補正の内容】
【特許請求の範囲】
【請求項１】
アンケート依頼者からのアンケート内容を各遊技場に設けられた管理装置に配信し、該管理装置から送信される回答を集計する集中管理装置と、アンケート内容を端末装置に配信し、そこで受付けた回答を受信して前記集中管理装置に送信する管理装置と、遊技場内に設けられ、アンケート内容を表示して遊技者の回答を受付ける端末装置と、から成るアンケート結果集計システムであって、
前記集中管理装置は、
各遊技場を個々に特定可能な店舗特定情報と、当該遊技場の各会員を個々に識別可能な会員識別情報と、当該会員の属性情報と、を対応付けて店舗別会員属性情報記憶手段に記憶しており、アンケート依頼者が所望するアンケート調査の実施対象とする会員の属性情報に関する対象条件を満たすアンケート対象者となる会員を、前記店舗別会員属性情報記憶手段に記憶している各遊技場における会員の属性情報に基づいて抽出し、該抽出したアンケート対象者となる会員の会員識別情報およびアンケート内容を含むアンケート要求情報を、前記管理装置に送信する手段を有し、
前記管理装置は、
前記集中管理装置から送信されるアンケート要求情報を受付け、このアンケート要求情報に含まれる会員識別情報から識別される会員をアンケート対象者として設定し、登録しておくとともに、
各会員に対して発行された会員識別情報が記録された会員用記録媒体が前端末装置に受付けられることにより会員用記録媒体から読み出された会員識別情報の受信に基づいて、当該員識別情報から識別される会員がアンケート対象者として設定されている会員であるか否かを判定し、該判定においてアンケート対象者として設定されている会員であると判定されたことを条件として、対応する前記アンケート内容を、前記会員用記録媒体を読み出した前記端末装置に送信する手段を有し、
ていることを特徴とするアンケート結果集計システム。
【請求項２】
アンケート依頼者からのアンケート内容を各遊技場に設けられた管理装置に配信し、該管理装置から送信される回答を集計する集中管理装置と、アンケート内容を端末装置に配信し、そこで受付けた回答を受信して前記集中管理装置に送信する管理装置と、遊技場内に設けられ、アンケート内容を表示して遊技者の回答を受付ける端末装置と、から成るアンケート結果集計システムであって、
前記集中管理装置は、アンケート依頼者が所望するアンケート調査の実施対象とする会員の属性情報とアンケート内容とを含むアンケート情報を、前記管理装置に配信する手段を有し、
前記管理装置は、
遊技場の各会員を個々に識別可能な会員識別情報と、当該会員の属性情報と、を対応付けて会員属性情報記憶手段に記憶しており、前記集中管理装置から送信されるアンケート情報を受付け、このアンケート情報に含まれる属性情報と前記店舗別会員属性情報記憶手段に記憶している会員の属性情報とに基づいて抽出した会員識別情報の会員をアンケート対象者として設定し、登録しておくとともに、
各会員に対して発行された会員識別情報が記録された会員用記録媒体が前端末装置に受付けられることにより会員用記録媒体から読み出された会員識別情報の受信に基づいて、当該会員識別情報から識別される会員がアンケート対象者として設定されている会員であるか否かを判定し、該判定においてアンケート対象者として設定されている会員であると判定されたことを条件として、対応する前記アンケート内容を、前記会員用記録媒体を読み出した前記端末装置に送信する手段を有し、
ていることを特徴とするアンケート結果集計システム。
【請求項３】
前記管理装置は、前記端末装置にアンケート内容が表示される表示タイミングを設定変更する手段を備え、
前記端末装置は、前記管理装置から送信される前記設定されている表示タイミングに関する表示タイミングデータから特定される表示タイミングにおいてアンケート内容を表示することを特徴とする請求項１または２に記載のアンケート結果集計システム。
【請求項４】
前記管理装置は、前記端末装置にて回答を受付けた会員に対して特典を付与する手段を備えることを特徴とする請求項１〜３のいずれかに記載のアンケート結果集計システム。
【請求項５】
前記管理装置は、前記集中管理装置から受信したアンケートの表示順序に関する優先情報に基づいて、前記端末装置にアンケート内容が表示される優先順位を設定する手段を備えることを特徴とする請求項１〜４のいずれかに記載のアンケート結果集計システム。
【請求項６】
前記集中管理装置は、通信回線網を介してアンケート依頼者が操作可能な情報端末から前記アンケート情報とともにアンケートの集計結果を通知する時期を示す情報を受信し、前記集計した集計結果を、前記アンケートの集計結果を通知する時期を示す情報の時期において前記情報端末に配信することを特徴とする請求項１〜５のいずれかに記載のアンケート結果集計システム。
【手続補正２】
【補正対象書類名】明細書
【補正対象項目名】０００６
【補正方法】変更
【補正の内容】
【０００６】
上記課題を解決するために、本発明の請求項１に記載のアンケート結果集計システムは、
アンケート依頼者からのアンケート内容を各遊技場に設けられた管理装置に配信し、該管理装置から送信される回答を集計する集中管理装置と、アンケート内容を端末装置に配信し、そこで受付けた回答を受信して前記集中管理装置に送信する管理装置と、遊技場内に設けられ、アンケート内容を表示して遊技者の回答を受付ける端末装置と、から成るアンケート結果集計システムであって、
前記集中管理装置は、
各遊技場を個々に特定可能な店舗特定情報と、当該遊技場の各会員を個々に識別可能な会員識別情報と、当該会員の属性情報と、を対応付けて店舗別会員属性情報記憶手段に記憶しており、アンケート依頼者が所望するアンケート調査の実施対象とする会員の属性情報に関する対象条件を満たすアンケート対象者となる会員を、前記店舗別会員属性情報記憶手段に記憶している各遊技場における会員の属性情報に基づいて抽出し、該抽出したアンケート対象者となる会員の会員識別情報およびアンケート内容を含むアンケート要求情報を、前記管理装置に送信する手段を有し、
前記管理装置は、
前記集中管理装置から送信されるアンケート要求情報を受付け、このアンケート要求情報に含まれる会員識別情報から識別される会員をアンケート対象者として設定し、登録しておくとともに、
各会員に対して発行された会員識別情報が記録された会員用記録媒体が前端末装置に受付けられることにより会員用記録媒体から読み出された会員識別情報の受信に基づいて、当該員識別情報から識別される会員がアンケート対象者として設定されている会員であるか否かを判定し、該判定においてアンケート対象者として設定されている会員であると判定されたことを条件として、対応する前記アンケート内容を、前記会員用記録媒体を読み出した前記端末装置に送信する手段を有し、
ていることを特徴としている。
この特徴によれば、前記集中管理装置により、アンケート対象者とする対象条件を満たす会員が、各会員の属性情報に基づいて抽出され、当該抽出されたアンケート対象者の会員用記録媒体を受付けた端末装置にアンケート内容が表示されてアンケートの受付けが実施されるようになるため、アンケートを実施する対象者を的確に絞り込んでアンケートを実施できる。また、例えば、端末装置を遊技場の遊技機にそれぞれ対応して設けることで、会員が遊技を行いながらアンケートに回答できるため、アンケートへの回答率を向上できるとともに、遊技機とは別の端末装置にアンケート内容が表示されるようになるため、遊技内容に依存することなく、アンケート依頼者の要望に沿った多彩なアンケートを実施することもできる。
【手続補正３】
【補正対象書類名】明細書
【補正対象項目名】０００７
【補正方法】変更
【補正の内容】
【０００７】
本発明の請求項２に記載のアンケート結果集計システムは、
アンケート依頼者からのアンケート内容を各遊技場に設けられた管理装置に配信し、該管理装置から送信される回答を集計する集中管理装置と、アンケート内容を端末装置に配信し、そこで受付けた回答を受信して前記集中管理装置に送信する管理装置と、遊技場内に設けられ、アンケート内容を表示して遊技者の回答を受付ける端末装置と、から成るアンケート結果集計システムであって、
前記集中管理装置は、アンケート依頼者が所望するアンケート調査の実施対象とする会員の属性情報とアンケート内容とを含むアンケート情報を、前記管理装置に配信する手段を有し、
前記管理装置は、
遊技場の各会員を個々に識別可能な会員識別情報と、当該会員の属性情報と、を対応付けて会員属性情報記憶手段に記憶しており、前記集中管理装置から送信されるアンケート情報を受付け、このアンケート情報に含まれる属性情報と前記店舗別会員属性情報記憶手段に記憶している会員の属性情報とに基づいて抽出した会員識別情報の会員をアンケート対象者として設定し、登録しておくとともに、
各会員に対して発行された会員識別情報が記録された会員用記録媒体が前端末装置に受付けられることにより会員用記録媒体から読み出された会員識別情報の受信に基づいて、当該会員識別情報から識別される会員がアンケート対象者として設定されている会員であるか否かを判定し、該判定においてアンケート対象者として設定されている会員であると判定されたことを条件として、対応する前記アンケート内容を、前記会員用記録媒体を読み出した前記端末装置に送信する手段を有し、
ていることを特徴としている。
この特徴によれば、前記管理装置により、アンケート対象者とする対象条件を満たす会員が、各会員の属性情報に基づいて抽出され、当該抽出されたアンケート対象者の会員用記録媒体を受付けた端末装置にアンケート内容が表示されてアンケートの受付けが実施されるようになるため、アンケートを実施する対象者を的確に絞り込んでアンケートを実施できる。また、例えば、端末装置を遊技場の遊技機にそれぞれ対応して設けることで、会員が遊技を行いながらアンケートに回答できるため、アンケートへの回答率を向上できるとともに、遊技機とは別の端末装置にアンケート内容が表示されるようになるため、遊技内容に依存することなく、アンケート依頼者の要望に沿った多彩なアンケートを実施することもできる。
【手続補正４】
【補正対象書類名】明細書
【補正対象項目名】０００８
【補正方法】変更
【補正の内容】
【０００８】
本発明の請求項３に記載のアンケート結果集計システムは、請求項１または２に記載のアンケート結果集計システムであって、
前記管理装置は、前記端末装置にアンケート内容が表示される表示タイミングを設定変更する手段を備え、
前記端末装置は、前記管理装置から送信される前記設定されている表示タイミングに関する表示タイミングデータから特定される表示タイミングにおいてアンケート内容を表示することを特徴としている。
この特徴によれば、アンケートの回答に好適なタイミング、例えば、店舗が遊技場であれば、大当り発生時等の会員遊技者の気分が良いときにアンケート内容を表示して回答を受付けることで、アンケートに対する回答率を向上できる。
【手続補正５】
【補正対象書類名】明細書
【補正対象項目名】０００９
【補正方法】変更
【補正の内容】
【０００９】
本発明の請求項４に記載のアンケート結果集計システムは、請求項１〜３のいずれかに記載のアンケート結果集計システムであって、
前記管理装置は、前記端末装置にて回答を受付けた会員に対して特典を付与する手段を備えることを特徴としている。
この特徴によれば、アンケートを実施することで特典が得られることから、特典を付与しない場合に比較して、アンケートに対する回答率を向上できる。
【手続補正６】
【補正対象書類名】明細書
【補正対象項目名】００１０
【補正方法】変更
【補正の内容】
【００１０】
本発明の請求項５に記載のアンケート結果集計システムは、請求項１〜４のいずれかに記載のアンケート結果集計システムであって、
前記管理装置は、前記集中管理装置から受信したアンケートの表示順序に関する優先情報に基づいて、前記端末装置にアンケート内容が表示される優先順位を設定する手段を備えることを特徴としている。
この特徴によれば、優先度の高いアンケート内容が優先的に表示されることで、所望のアンケートを他のアンケートよりも優先して表示させることが可能となるばかりか、これら同一の会員をアンケート対象とする複数のアンケートが存在する場合において、的確にアンケートが表示されるようになる。
【手続補正７】
【補正対象書類名】明細書
【補正対象項目名】００１１
【補正方法】変更
【補正の内容】
【００１１】
本発明の請求項６に記載のアンケート結果集計システムは、請求項１〜５のいずれかに記載のアンケート結果集計システムであって、
前記集中管理装置は、通信回線網を介してアンケート依頼者が操作可能な情報端末から前記アンケート情報とともにアンケートの集計結果を通知する時期を示す情報を受信し、前記集計した集計結果を、前記アンケートの集計結果を通知する時期を示す情報の時期において前記情報端末に配信することを特徴としている。
この特徴によれば、アンケート依頼者が要望する時期（タイミング）にて、集計結果がアンケート依頼者に通知されることで、アンケート依頼者の利便性を向上できる。
【手続補正８】
【補正対象書類名】明細書
【補正対象項目名】００１２
【補正方法】削除
【補正の内容】
【手続補正９】
【補正対象書類名】明細書
【補正対象項目名】０１００
【補正方法】削除
【補正の内容】
【手続補正１０】
【補正対象書類名】明細書
【補正対象項目名】０１０２
【補正方法】削除
【補正の内容】
【手続補正１１】
【補正対象書類名】明細書
【補正対象項目名】０１０３
【補正方法】削除
【補正の内容】
【手続補正１２】
【補正対象書類名】明細書
【補正対象項目名】０１０４
【補正方法】削除
【補正の内容】
【手続補正１３】
【補正対象書類名】明細書
【補正対象項目名】０１０６
【補正方法】削除
【補正の内容】
【手続補正１４】
【補正対象書類名】明細書
【補正対象項目名】０１１１
【補正方法】削除
【補正の内容】
【手続補正１５】
【補正対象書類名】明細書
【補正対象項目名】０１１２
【補正方法】削除
【補正の内容】
【手続補正１６】
【補正対象書類名】明細書
【補正対象項目名】０１１３
【補正方法】削除
【補正の内容】
【手続補正１７】
【補正対象書類名】明細書
【補正対象項目名】０１１４
【補正方法】削除
【補正の内容】
【手続補正１８】
【補正対象書類名】明細書
【補正対象項目名】０１１５
【補正方法】削除
【補正の内容】
【手続補正１９】
【補正対象書類名】明細書
【補正対象項目名】０１１６
【補正方法】削除
【補正の内容】
【手続補正２０】
【補正対象書類名】明細書
【補正対象項目名】０１１７
【補正方法】削除
【補正の内容】